(57)【要約】【課題】不使用時には積層状態にコンパクトに折り畳めるようにして安定した状態で浴槽上面や、浴室内適所に載置できるようにしたシャッター式浴槽蓋を提供する。【解決手段】連結用帯状片３による細長中空棒状体２の連結位置を細長中空棒状体２どうしの下面側を基本にすると共に、当該下面側における細長中空棒状体２の一定本数の連結毎に細長中空棒状体２どうしの上面側にて連結する。当該上面側の連結部４において逆方向への折り返しを可能として細長中空棒状体２の一定本数毎に交互に折り畳むことができるようにした。【選択図】　図１
2004097502.tif 000002
【特許請求の範囲】
【請求項１】
軟質合成樹脂製の折曲自在な連結用帯状片を介して硬質合成樹脂製の細長中空棒状体を浴槽の上面を実質的に覆うことのできる大きさとなるように並列状に多数連結してなるシャッター式の浴槽蓋であって、前記連結用帯状片による細長中空棒状体の連結位置は細長中空棒状体どうしの下面側を基本にすると共に、当該下面側における細長中空棒状体の一定本数の連結毎に細長中空棒状体どうしの下面側を開放状態にして上面側にて連結し、当該上面側の連結部において逆方向への折り返しを可能として細長中空棒状体の一定本数毎に交互に折り畳むことができるようになしたことを特徴とするシャッター式浴槽蓋。
【請求項２】
シャッター式浴槽蓋の一方の端部に位置する細長中空棒状体に把手を取付けたことを特徴とする請求項１記載のシャッター式浴槽蓋。
【請求項３】
シャッター式浴槽蓋の他方の端部に位置する細長中空棒状体の上面側に巻き止めバンドの一端を回動自在に取付け、当該巻き止めバンドをシャッター式浴槽蓋の裏面側適所に付設してあるバンドホルダに係止させて折り畳んだ状態を保持できるようになしたことを特徴とする請求項１または請求項２記載のシャッター式浴槽蓋。
【発明の詳細な説明】
【０００１】
【発明の属する技術分野】
本発明は硬質合成樹脂製の細長中空棒状体どうしを軟質合成樹脂製の連結用帯状片を介して並列に多数連結してなるシャッター式の浴槽蓋に関する。
【０００２】
【従来の技術】
硬質合成樹脂製の細長中空棒状体を、軟質合成樹脂製の折曲自在な連結用帯状片を介して多数連結したシャッター式浴槽蓋は、実開平７−７５８３号公報や、実開平５−６０３８３号公報、実開昭５９−１１４０８９号などによって既に知られている。そして、この従来型のシャッター式浴槽蓋はいずれも硬質合成樹脂製の細長中空棒状体の同一位置、特に多くは下面側において連結用帯状片を用いて多数連結するものであった。
【０００３】
【発明が解決しようとする課題】
前記したように、従来のシャッター式浴槽蓋のほとんどは、細長中空棒状体の下面側において連結用帯状片を介して多数連結したものであり、不使用時に連結用帯状片が内側になるようにして巻き込むことができるといっても平板状に交互に折り畳むことは不可能であった。そのため、不使用時に邪魔にならぬよう出来るだけ小径状に巻き込んで浴室内の床などに立て掛けるようにしていたが、軟質合成樹脂製連結用帯状片の反発力によって次第に巻きが緩んで、展開状態になってしまったり、あるいは高齢者や幼児などがつまずいて立て掛けた円筒状のシャッター蓋が倒れて怪我をするといった問題点があった。また、最近の浴室においては浴槽の周囲壁面に手摺りが取付けられるようなことが多くなってきており、この場合浴槽上面側に手摺りが突出しているようなときには、当該手摺りが障害となって、シャッター式浴槽蓋を巻き上げることができなくなるという問題点も指摘されている。
【０００４】
そこで、本発明は従来型シャッター式浴槽蓋の前記した不具合点を解消し、不使用時には多段状にコンパクトに折り畳めるようにして安定した状態で浴槽上面や、浴室内適所に載置できるようにしたシャッター式浴槽蓋を提供することを目的とするものである。
【０００５】
【課題を解決するための手段】
前記目的を達成するための本発明の構成を詳述すれば、請求項１に係る発明は、軟質合成樹脂製の折曲自在な連結用帯状片を介して硬質合成樹脂製の細長中空棒状体を浴槽の上面を実質的に覆うことのできる大きさとなるように並列状に多数連結してなるシャッター式の浴槽蓋であって、前記連結用帯状片による細長中空棒状体の連結位置は細長中空棒状体どうしの下面側を基本にすると共に、当該下面側における細長中空棒状体の一定本数の連結毎に細長中空棒状体どうしの下面側を開放状態にして上面側にて連結し、当該上面側の連結部において逆方向への折り返しを可能として細長中空棒状体の一定本数毎に交互に折り畳むことができるようになしたことを特徴とするシャッター式浴槽蓋である。
【０００６】
請求項２に係る発明は、シャッター式浴槽蓋の一方の端部に位置する細長中空棒状体に把手を取付けたことを特徴とする請求項１記載のシャッター式浴槽蓋である。
【０００７】
また、請求項３に係る発明は、シャッター式浴槽蓋の他方の端部に位置する細長中空棒状体の上面側に巻き止めバンドの一端を回動自在に取付け、当該巻き止めバンドをシャッター式浴槽蓋の裏面側適所に付設してあるバンドホルダに係止させて折り畳んだ状態を保持できるようになしたことを特徴とする請求項１または請求項２記載のシャッター式浴槽蓋である。
【０００８】
本発明シャッター式浴槽蓋によれば、連結用帯状片による細長中空棒状体どうしの連結位置を、従来と同様に下面側としつつも、一定本数の連結毎に下面側を開放状態にして細長中空棒状体の上面側において連結するようにしたので、当該上面側の連結部において、下面側連結部とは逆の方向への折り返しが可能となるものである。
【０００９】
従って、細長中空棒状体の一定本数毎に交互に折り畳んで多段状に積み重ねることができると共に、端部に位置する細長中空棒状体の上面側に巻き止めバンドを付設した場合には、当該巻き止めバンドを用いて、折り畳んで積層状態となった浴槽蓋を止め付けることができ浴室内におけるシャッター式浴槽蓋の安定性を向上させることができるものである。なお、細長中空棒状体の一定本数毎に交互に折り畳むことができるとしても、本発明はシャッター式浴槽蓋であることに変わりはなくシャッター蓋本来の利点を有していることは云うまでもない。
【００１０】
【発明の実施の形態】
以下、本発明に係るシャッター式浴槽蓋の具体的構成を図示の実施形態に基づき詳細に説明する。
図１は本発明シャッター式浴槽蓋の一実施形態を示す平面図、図２は図１に示すシャッター式浴槽蓋の正面図、図３は図１のＡ−Ａ線断面図、図４は細長中空棒状体の一定本数毎に交互に折り畳むときの説明図、図５は巻き止めバンドをバンドホルダに係止させるときの説明図である。
【００１１】
図中１はシャッター式の浴槽蓋本体の全体を示し、当該浴槽蓋本体１は硬質合成樹脂よりなる細長中空棒状体２を、軟質合成樹脂よりなる連結用帯状片３を介して並列に浴槽の上面を実質的に覆うだけの大きさに連結してなるものである。なお、図１に示す実施形態のシャッター式浴槽蓋本体１は、普通一般の上面視ほぼ矩形状をなす浴槽に対応するよう全体をほぼ矩形状に形成したものとなっているが、最近の浴槽においては特殊な形態の上面構成を採用するものがあり、当該特殊な形態を有する浴槽の上面に対応し得るよう浴槽蓋本体１はその一側縁部をたとえば斜めに形成したものとなしてもよいのは勿論である。
【００１２】
細長中空棒状体２はポリプロピレンを始めとしたオレフィン系熱可塑性合成樹脂によって押出成形されるものであり、連結用帯状片３は前記細長中空棒状体２をなす合成樹脂と相溶性のある軟質合成樹脂によって作製されるもので、細長中空棒状体２の一定本数毎の押出成形の際に同時に押し出され熱融着されるものである。
【００１３】
連結用帯状片３による細長中空棒状体２どうしの連結位置は、従来、全体を通じて細長中空棒状体２の下面側とするものがほとんどであった。そのため、不使用時においては連結用帯状片３を内側にして巻き込み小径状となして浴室内に立て掛けるようにしていた。これに対し、本発明においては、連結用帯状片３による細長中空棒状体２どうしの連結位置を細長中空棒状体２の下面側を基本にすると共に、当該下面側における細長中空棒状体２の一定本数の連結毎に、下面側は開放状態にして細長中空棒状体２どうしの上面側にて連結し、当該上面側の連結部４において下面側連結部とは逆の方向への折り返しを可能として細長中空棒状体２の一定本数毎に交互に折り畳んで収納することができるようになしたものである。
【００１４】
図示の実施形態においては、細長中空棒状体２の連結本数を６本毎に交互に折り畳めるようにしたものであり、浴槽蓋本体１のＡブロックにおいては、積層状態において最上段に２本の細長中空棒状体が位置することとなるように計８本の細長中空棒状体２がその下面側において連結用帯状片３によって連結され、Ａブロックの端部に位置する細長中空棒状体２とＢブロックの端部に位置する細長中空棒状体２が、その上面部において連結用帯状片３によって連結されている。
従って、ＡブロックとＢブロックの境目においては下面側は開放状態となっている。
【００１５】
浴槽蓋本体１のＢブロックおよびＣブロックはそれぞれ１２本の細長中空棒状体２から構成されており、Ｂブロックの１２本目に相当する細長中空棒状体２とＣブロックの１本目に相当する細長中空棒状体２とが、その上面部において連結用帯状片３によって連結され、それ以外は全て細長中空棒状体２の下面側において連結用帯状片３によって連結されている。従って、このＢブロックおよびＣブロックにおいては、それぞれの６本目のところで下面側の連結部を内側にして折り曲げることができると共に、上面側の連結部４においては逆の方向に折り返すことが可能となり、ＢブロックおよびＣブロックのところでは４層の積層状態となすことができる。
【００１６】
浴槽蓋本体１のＤブロックは細長中空棒状体２が６本のみの連結となっており、３本の細長中空棒状体２からなるＥブロックとは、その境目において上面側において連結された状態となっている。なお、このＥブロックは折り畳んで積み重ねた状態の浴槽蓋本体１の側面部をなすものであり、このＥブロックに連続するＦブロックは前記したＡブロックの最上段に位置する２本の細長中空棒状体の上面を覆うように折り曲げられるものである。
【００１７】
浴槽蓋本体１の一方の端部、すなわちＡブロックにおける自由端を構成する細長中空棒状体２にはポリプロピレン樹脂によって作製された止めバンド５を介して発泡ポリプロピレン製の把手６が取付けられている。
【００１８】
また、浴槽蓋本体１の他方の端部、すなわちＦブロックの自由端を構成する細長中空棒状体２の上面側にはポリエチレン製の巻き止めバンド７の一端が回動自在に取付けられており、当該巻き止めバンド７の先端を、折り畳まれて積層状態となっている浴槽蓋本体１の上面部を通して下面側となっているＤブロックの裏面に付設してあるバンドホルダ８に係止させて折り畳まれた浴槽蓋本体１の積層状態を保持できるようになっている。なお、図示の実施形態においては巻き止めバンド７とバンドホルダ８は雌雄の嵌合構造となっているが、これに代えて所謂面ファスナーやフック構造、あるいは磁着構造のものとしてもよいのは勿論である。
【００１９】
以下に、図示する実施形態のシャッター式浴槽蓋の使用例につき説明すれば、Ａブロックにおける自由端を構成する細長中空棒状体２に取付けられている把手６を掴んで、ＣブロックとＤブロックの境目のところまで全体を折り返し、Ｄブロックの６本の細長中空棒状体２の上面にＣブロックの６本の細長中空棒状体２の上面が当接するようにして載置する。
【００２０】
次いで、Ｃブロックの中間部において下面側の連結部を内側にして折り畳む。ＢブロックおよびＡブロックにおいてもこの操作を繰り返し、合計６段の積層状態をつくり出して、最後にＥブロックをなす３本の細長中空棒状体２によって積み重ねた状態の細長中空棒状体１の側面部を覆い、Ｅブロックに連続する４本の細長中空棒状体２からなるＦブロックをＡブロックの２本の細長中空棒状体２の上面を覆うようになし（図４）、巻き止めバンド７をその枢軸部から回動させて細長中空棒状体２と直交するように引き延ばし、先端部をＤブロックの裏面に付設してあるバンドホルダ８に係止させて安定状態を保持するようするものである（図５）。
【００２１】
なお、本発明シャッター式浴槽蓋の使い方は上記に限定されるものではなく、ＡブロックとＢブロックの境目にある上面連結部４を介してＡブロックの上面側が下向きとなるようにしてＢブロックの上面に折り畳み、次いでＢブロックの中間部、すなわち細長中空棒状体２の６本目のところにおいて逆方向に折り畳み、ＢブロックとＣブロックの境目の上面連結部４においてＢブロックの上面側が下向きとなるようにしてＣブロックの上面に折り畳み、さらにＣブロックの中間部において逆の方向に折り畳み、次いで、ＣブロックとＤブロックの境目の上面連結部４においてＣブロックの上面側が下向きになるようにして折り畳んで計６段の積層状態をつくり出し、Ｄブロックに連続するＥブロックによって、６段の積層状態となった浴槽蓋本体１の側面部を覆うようになし、以下、上記と同様にして巻き止めバンド７を用いて積層状態を保持するようにしてもよい。
【００２２】
上記した実施例は比較的大型の浴槽用のシャッター蓋のものであるが、比較的小型のバスタブの場合には細長中空棒状体２の５本毎に積層状態を形成できるように上面連結部４を細長中空棒状体２どうしの上面に設けるようにしてもよいのは勿論である。さらに、本発明の趣旨を逸脱しない限りにおいて種々の設計変更が可能であり、当該変更内容も本発明の範囲に含まれるのは云うまでもない。
【００２３】
【発明の効果】
本発明シャッター式浴槽蓋によれば、シャッター蓋本来の使い勝手の良さといった利点を有する他、不使用時には多段状にコンパクトに折り畳むことができ、安定した状態で浴槽上面や、浴室内適所に載置でき、従来のように巻き込んで浴室内の床などに立て掛けておいた場合と較べて高齢者や幼児などがつまずいて怪我をするといった問題点を解消することができるものである。
【００２４】
また、最近の浴室においては浴槽上面側に手摺りが突出するようにして取付けられるようなことが多くなってきているが、このような場合であっても本発明シャッター式浴槽蓋によれば、細長中空棒状体の一定本数毎に交互に折り畳んで多段状に積み重ねることができるので難なくコンパクトにすることができ、突出している手摺りが障害となって巻き込めなくなるといった従来の不具合点を解消することができるものである。
【図面の簡単な説明】
【図１】本発明シャッター式浴槽蓋の一実施形態を示す平面図である。
【図２】図１に示すシャッター式浴槽蓋の正面図である。
【図３】図１のＡ−Ａ線断面図である。
【図４】細長中空棒状体の一定本数毎に交互に折り畳むときの説明図である。
【図５】巻き止めバンドをバンドホルダに係止させるときの説明図である。
【符号の説明】
１：浴槽蓋本体　　　　　　　　　２：細長中空棒状体
３：連結用帯状片　　　　　　　　４：連結部
５：止めバンド　　　　　　　　　６：把手
７：巻き止めバンド　　　　　　　８：バンドホルダ
【図１】
2004097502.tif 000003
【図２】
2004097502.tif 000004
【図３】
2004097502.tif 000005
【図４】
2004097502.tif 000006
【図５】
2004097502.tif 000007